(57)【要約】【課題】アンテナが送話器を有する筐体側に収納される折り畳み式携帯電話機において、筐体を開く操作に連動しアンテナを頭部から離れた位置に自動的に配置することができるようにする。かつこれを簡単な構造で実現する。【解決手段】ヒンジ部７の回転軸に取り付けられ筐体の開閉に連動し回動する偏心形状をしたカム８と、アンテナ３の先端部がその基端部にある支点ピン１２を支点として筐体２の背面より離れるように回動させるためにカム８の回転運動を受けアンテナ３の所定の上部位置に押し方向の力に変換する伝達機構、即ちアーム７と、アンテナ３の所定の上部位置に引き戻す方向の力を加えるための付勢手段、即ち引きバネ１０とで構成されている。【選択図】      図２
2004328346.tif 000002
【特許請求の範囲】
【請求項１】
それぞれ板状に形成された拡声器を有する第１の筐体と送話器を有する第２の筐体とをヒンジ部を介して折り畳み自在に結合された携帯電話機において、ロッド状のアンテナを前記第２の筐体の背面に形成された溝部内に格納し、筐体の開操作に連動し前記アンテナの先端部がその基端部を支点として前記第２の筐体の背面より離れるように回動し筐体が完全に開き使用状態になった時に前記アンテナの先端部が前記第２の筐体の背面より所定の距離だけ離れた位置に自動的に配置するアンテナ自動回動機構を備えることを特徴とする折り畳み式携帯電話機。
【請求項２】
前記アンテナ自動回動機構は、前記ヒンジ部の回転軸に取り付けられ筐体の開閉に連動し回動する偏心形状をしたカムと、前記アンテナの先端部がその基端部を支点として前記第２の筐体の背面より離れるように回動させるために前記カムの回転運動を受け前記アンテナの所定の上部位置を押す力に変換するための伝達機構とを備えることを特徴とする請求項１記載の折り畳み式携帯電話機。
【請求項３】
前記アンテナ回動機構は、前記アンテナの所定の上部位置を引き戻す力を加えるための付勢手段を備えることを特徴とする請求項２記載の折り畳み式携帯電話機。
【請求項４】
前記アンテナ自動回動機構は、筐体が閉じられている時に前記第２の筐体の背面に形成された溝部内に収納される前記アンテナを固定するためのフック機構と、筐体を開いた時に連動して前記フック機構を解除するための解除手段と、前記解除手段が動作して前記フック機構が外れた時に前記アンテナの先端部がその基端部を支点として前記第２の筐体の背面より離れるように回動させるために前記アンテナの所定の上部位置に押す方向の力を加える付勢手段とを備えることを特徴とする請求項１記載の折り畳み式携帯電話機。
【請求項５】
前記アンテナは、前記第２の筐体の背面に形成された溝部に格納され、同時に格納された状態で前記第２の筐体の背面の外形線と同一平面を保持するためのケースを有することを特徴とする請求項１，２，３あるいは４記載の折り畳み式携帯電話機。
【請求項６】
前記アンテナは、内部回路の給電端子と前記付勢手段を介して電気的に接続されることを特徴とする請求項３あるいは４記載の折り畳み式携帯電話機。
【発明の詳細な説明】
【０００１】
【発明の属する技術分野】
本発明は折り畳み式携帯電話機に関し、特に使用時にアンテナを通話者の頭部から離して通話特性の改善を図るための構造を有する折り畳み式携帯電話機に関する。
【０００２】
【従来の技術】
この種の折り畳み式携帯電話機は、特に薄型化が求められ、また、アンテナも筐体内に収納することが望まれており、このようなニーズに対応した折り畳み式携帯電話機は、筐体を開いて使用する時にアンテナと使用者の頭部とが自然接近する配置になる。
【０００３】
このような配置においては、アンテナの放射効率あるいは比吸収率（ＳＡＲ）が悪化し、送受信特性が劣化する。このためにアンテナと使用者の頭部との距離をできるだけ離すことが必要となる。
【０００４】
次に、このような観点から使用時にアンテナを頭部から離して送受信特性の改善を図った構造を有する従来例を図４に示す。図４は従来例を示す側面図であり、（Ａ）は筐体を折り畳んだ状態を示し、（Ｂ）は筐体を開いた状態を示し、（Ｃ）は筐体からアンテナを離した状態を示す。
【０００５】
２つの筐体６０，２０がヒンジ部３０により機械的に結合され、折り畳み構造を形成している。アンテナ５０はロッド状に形成されており、その基端部がヒンジ部３０に直接結合されており、各筐体６０，２０から独立して回転できる。
また、アンテナ５０は、受話側の筐体６０の背面に形成された収納溝部６１０に勘入した状態で、携帯電話機の薄型化が達成できる。
【０００６】
また、筐体６０，２０を開いて通話を行う場合はアンテナ５０を収納溝部６１０より離間させ、所定の位置まで回動させる。これによりアンテナ５０の放射効率を改善できる。（例えば、特許文献１参照。）
【特許文献１】
特開２０００−２６９７１５号公報（第１、３頁）
この従来例は、アンテナ５０を手操作で所定の位置まで回動させて所定の位置まで離間させるが、これとは異なり筐体の開閉に連動させてこの操作を行う従来例を図５に示す。
【０００７】
図５は他の従来例の動作形態を示した作用原理図であり、（ａ）では折畳式携帯電話機を閉じた時の状態について、（ｂ）では折畳式携帯電話機を半開きにした時の状態について、また、（ｃ）では折畳式携帯電話機を完全に開いた時の状態について、示している。
【０００８】
歯車状突起５１０とこれに噛み合わせた外周歯車５１５からなるアンテナ出没機構を設け、筐体５２，５３の関係の開閉操作に応動させてアンテナ５５を筐体５２に自動的に出没させる。即ち、受話器を有する筐体５２側に収納されたアンテナ５５は、筐体を閉じた時、即ち無通話時は筐体内に格納されているが、筐体を開くに応じて歯車状突起５１０が回動し、この回動が外周歯車５１５に伝達され、外周歯車５１５に直結されたアンテナ５５は、筐体５２の外がわに自動的に出没する。
【０００９】
この結果、通話の際にアンテナの伸縮手操作を不用にする。即ちアンテナが使用者の頭部から自動的に充分離れた位置に配置されるので、アンテナの送受信特性が改善され、アンテナを手で伸縮する必要がなくなる。
また、筐体５２の背面に膨出部を設けなくともアンテナ５５を充分な角度で立ち上がらせることができ、しかもこの立ち上がり角度は筐体５２の形状に設計できるので、アンテナと利用者の頭部との間の間隙を大きく取ることができる。（例えば、特許文献１参照。）
【特許文献２】
特開２００３−６９６７９号公報（第１−３頁）
【００１０】
【発明が解決しようとする課題】
しかしながら上述した従来例においては以下に述べる問題がある。先ず、従来例の前者においては、アンテナを手操作で回動させて所定の位置まで離間させるので、この手操作を通話の都度行うことが面倒であるという問題がある。また、この手操作を忘れて通話すると通話品質の悪い状態で通話することになり、折角の機能が発揮できないという問題がある。
【００１１】
また、従来例の後者においては、先の従来例の問題点は解決されているが、歯車を用いるなど構造的に複雑で、携帯電話機の大きさ、デザインにも制約を与えるという問題がある。
【００１２】
更に、両従来例においては、その発明がアンテナが受話器を有する筐体側に収納される携帯電話機に限定され、アンテナが送話器を有する筐体側に収納される携帯電話機については適応することができないという問題がある。
一般にアンテナを送話器を有する筐体側に収納する方が、使用時に筐体がくの字型に開くことからアンテナを頭部から離しやすい特徴があるので、最近はこの方が多く採用される傾向にある。
【００１３】
本発明の目的は、このようなアンテナが送話器を有する筐体側に収納される折り畳み式携帯電話機において、筐体を開く操作に連動しアンテナを頭部から離れた位置に自動的に配置することができ、かつ、簡単な構造でこれを実現することにある。
【００１４】
【課題を解決するための手段】
本発明の折り畳み式携帯電話機は、それぞれ板状に形成された拡声器を有する第１の筐体と送話器を有する第２の筐体とをヒンジ部を介して折り畳み自在に結合された携帯電話機において、ロッド状のアンテナを前記第２の筐体の背面に形成された溝部内に収納し、筐体の開閉操作に連動し前記アンテナの先端部がその基端部を支点として前記第２の筐体の背面より離れるように回動し、筐体が完全に開き使用状態になった時に前記アンテナの先端部が前記第２の筐体の背面より所定の距離だけ離れた位置に自動的に配置するためのアンテナ自動回動機構を備えている。
【００１５】
前記アンテナ自動回動機構は、前記ヒンジ部の回転軸に取り付けられ筐体の開閉に連動し回動する偏心形状をしたカムと、前記アンテナの先端部がその基端部を支点として前記第２の筐体の外側表面より離れるように回動させるために前記カムの回転運動を受け前記アンテナの所定の上部位置を押す力に変換するための伝達機構とを備えるように構成しても良い。更に、前記伝達機構の近辺に前記アンテナの所定の上部位置を引き戻す力を加えるための付勢手段を備えるようにしても良い。
【００１６】
また、前記アンテナ自動回動機構は、筐体が閉じられている時に前記第２の筐体の背面に形成された溝部内に収納されている前記アンテナを固定するためのフック機構と、筐体を開いた時に連動して前記フック機構を解除するための解除手段と、前記解除手段が動作して前記フック機構が外れた時に前記アンテナの先端部がその基端部を支点として前記第２の筐体の背面より離れるように回動させるために前記アンテナの所定の上部位置３を押す力を加える付勢手段とを備えるように構成しても良い。
【００１７】
また、前記アンテナは、前記第２の筐体の背面に形成された溝部に格納され、同時に格納された状態で前記第２の筐体の背面の外形線と同一平面を保持するためのケースを有する構造としても良い。
【００１８】
また、前記アンテナは、内部回路の給電端子と前記付勢手段を介して電気的に接続されるようにしても良い。
【００１９】
【発明の実施の形態】
次に本発明の実施の形態について図面を参照して説明する。
【００２０】
図１は、本発明の実施の形態例を示す斜視図で、（ａ）は筐体を閉じた不使用時の状態を示し、（ｂ）は筐体を開いた使用時の状態を示す。図２は、図１における本発明の第１の実施の形態例を示すＡ−Ａ線の断面図で、（ａ）は筐体を閉じた不使用時の状態を示し、（ｂ）は筐体を開いた使用時の状態を示す。図３は図１における本発明の第２の実施の形態例を示すＡ−Ａ線の断面図で、（ａ）は筐体を閉じた不使用時の状態を示し、（ｂ）は筐体を開いた使用時の状態を示す。
【００２１】
図１を参照して本発明の折り畳み式携帯電話機について概要を説明する。図１において、本発明の折り畳み式携帯電話機は、それぞれ板状に形成された受話器５を有する筐体１と送話器６を有する筐体２とをヒンジ部７を介して折り畳み自在に結合されている。図１（ａ）に示すように筐体が閉じられた不使用時においては、ロッド状のアンテナ３は筐体２の背面に形成された溝部内にアンテナケース３２を介して収納されている。そして図１（ｂ）に示すように筐体の開操作を行い完全に開いた状態の使用時には、内部に備えられたアンテナ自動回動機構により、開操作に連動してアンテナ３の先端部がその基端部を支点として筐体の背面より離れるように回動して筐体２の背面より所定の距離だけ離れた位置に自動的に配置される。尚、図は開操作の後、アンテナ３を手操作で伸張させた場合について示している。
【００２２】
次に、図２を参照して、アンテナ回動機構に関する、本発明の第１の実施の形態例を説明する。図１で説明した部分は同様であるので、ここではアンテナ自動回動機構を中心にその詳細について説明する。アンテナ自動回動機構は、カム８とアーム１１と引きバネ１０とで構成されている。
【００２３】
即ち、アンテナ自動回動機構は、ヒンジ部７の回転軸に取り付けられ筐体の開閉に連動し回動する偏心形状をしたカム８と、アンテナ３の先端部がその基端部にある支点ピン１２を支点として筐体２の背面より離れるように回動させるためにカム８の回転運動を受けアンテナ３の所定の上部位置を押す力に変換する伝達機構、即ちアーム７と、更にアンテナ３の所定の上部位置を引き戻す力を加えるための付勢手段、即ち引きバネ１０とで構成されている。
【００２４】
アンテナ３は、伸縮可能のロッド状アンテナで、アンテナ伸縮部３１と、アンテナ伸縮部３１が貫入するアンテナ外管部３３と、このアンテナ外管部３３に固定されアンテナ伸縮部３１を収納するアンテナケース３２とで構成されている。アンテナケース３２は、筐体２の背面に形成された溝部に格納され、かつ格納された状態で筐体２の背面の外形線と同一平面を保持する寸法になっている。
【００２５】
アーム１１は、アンテナ外管部３３の図示の位置に固定されており、図示のような偏心形状をしたカム８の外縁部に当接し、回動するカム８の外縁部を摺動し、カム８の回転運動をアンテナ外管部３３を押し出す方向の力に変換する。
【００２６】
また、引きバネ１０は、一端をアンテナ外管部３３の図示の位置に固定されており、他端を内部回路を搭載した基板９の給電端子（図示せず）に固定されている。即ち、引きバネ１０は、アンテナ外管部３３に常に引き戻す方向の力を加え、筐体を閉じた時にアンテナ３が自動的に溝部に格納されるように作用する。また、引きバネ１０は、導体でつくられており、アンテナへの給電用の配腺を不用としている。
【００２７】
つぎに、その動作について説明する。図２（ａ）は、筐体を閉じた不使用時の状態を示し、筐体１，２は閉じられてロックされており、アンテナ３は筐体２の溝部に格納されている。この時のカム８とアーム１１とは、もっとも接近した位置関係にあり、引きバネ１０は、もっとも閉じられた状態にある。
【００２８】
そして、筐体１，２を徐々に開いていき、図２（ｂ）に示した筐体を完全に開いた使用状態においては、カム８とアーム１１とは、カム８の回転に伴ってもっとも遠い位置関係になり、アンテナ３は筐体２の溝部よりその頭部が押し出され、筐体２の背面より突出する。図示では、この後使用者がアンテナ３を伸張した状態を示している。この状態で通話を行った場合、アンテナ３は通話者の頭部と筐体２の背面より突出した分離れたことになり、送受信特性を改善する。
【００２９】
尚、送話器を有する筐体側にアンテナを取り付けた折り畳み式携帯電話機は、受話器を有する筐体側にアンテナを取り付けた折り畳み式携帯電話機に比べて、筐体を完全に開いた使用状態では、図示のように２つの筐体はくの字型となるので、アンテナの先端部は通話者の頭部と遠くなり有利であるが、更に本発明による分が加わり更に遠くなるのでその効果が拡大される。
【００３０】
通話が終了し筐体が閉じられると、アンテナ３は引きバネ１０の作用で、元の筐体２の溝部に自動的に格納される。
【００３１】
次に、図３を参照して、本発明の第２の実施の形態例を説明する。図２で説明した部分と同様な部分の説明は省略し、ここでは相違点であるアンテナ自動回動機構の部分を中心にして以下説明する。
【００３２】
アンテナ自動回動機構は、留め金１４とフック１３と押しバネ１５とで構成されている。即ち、筐体が閉じられている時に筐体２の背面に形成された溝部内に格納されているアンテナ３を固定するためのフック１３と、フック１３と係合し同時に筐体を開いた時にヒンジ部７と連動して回転し、フック１３との係合を解除するカギ型をした留め金１４と、留め金１４が動作してフック１３が外れた時にアンテナ３の先端部がその基端部の支点ピン１２を支点として筐体２の背面より外側に離れるように回動させるために、アンテナ３の上部位置にあるアンテナ外管部３３に押す出す方向の力を加える押しバネ１５とから構成される。
【００３３】
尚、フック１３は、アンテナ外管部３３に固定されている。また、押しバネ１５の一端もアンテナ外管３３に固定され、他端は内部回路を搭載した基板９の給電端子（図示せず）に固定されている。また、押しバネ１０は、導体でつくられており、アンテナへの給電用の配腺を不用としている。
【００３４】
次に動作について説明する。図３（ａ）は、筐体を閉じた不使用時の状態を示し、筐体１，２は閉じられロックされており、アンテナ３は筐体２の背面の溝部に格納されている。この時のフック１３と留め金１４とは、係合状態にあり、押しバネ１５の弾性力により押し出されるアンテ３を引き止め溝部に格納している。押しバネ１５は、この時もっとも閉じられた状態にある。
【００３５】
筐体１，２を徐々に開いていき、図３（ｂ）に示した筐体を完全に開いた使用状態では、アンテナ３は、筐体を開いて行く過程で留め金１４がヒンジ部７と連動して回転してフック１３との係合が外れるので、押しバネ１５の弾性力により筐体２の溝部よりその頭部が、ストッパ１６により制限される位置まで押し出され、筐体２の背面より突出する。そして、通話が終了して筐体を閉状態にする時は、アンテナ３を手操作で筐体２の背面の溝部に格納する。
【００３６】
この実施例は、図２で説明した第１の実施例に比べ、アンテナ３の筐体背面より突出する量を大きく取れる特徴がある反面、筐体を閉状態にする時にアンテナ３を手操作で筐体背面の溝部に格納する必要がある。
【００３７】
【発明の効果】
以上説明したように本発明の折り畳み式携帯電話機は、アンテナが送話器を有する筐体側に収納される折り畳み式携帯電話機において、ヒンジ部の回転と連動して回転する偏心形状をしたカム、あるいはカギ型の留め金などを用いたアンテナ自動回動機構により、筐体を開く操作に連動しアンテナを頭部から離れた位置に自動的に配置することができ、操作が極めて簡単となり、かつこれを簡単な構造で実現することができるという効果がある。
【図面の簡単な説明】
【図１】本発明の実施の形態例を示す斜視図で（ａ）は筐体を閉じた不使用時の状態を示し、（ｂ）は筐体を開いた使用時の状態を示す。
【図２】本発明の第１の実施の形態例を示す断面図で（ａ）は筐体を閉じた不使用時の状態を示し、（ｂ）は筐体を開いた使用時の状態を示す。
【図３】本発明の第２の実施の形態例を示す断面図で（ａ）は筐体を閉じた不使用時の状態を示し、（ｂ）は筐体を開いた使用時の状態を示す。
【図４】従来例を示す側面図であり、（Ａ）は筐体を折り畳んだ状態を示し、（Ｂ）は筐体を開いた状態を示し、（Ｃ）は筐体からアンテナを離した状態を示す。
【図５】他の従来例の動作形態を示した作用原理図であり、（ａ）では折畳式携帯電話機を閉じた時の状態について、（ｂ）では折畳式携帯電話機を半開きにした時の状態について、また、（ｃ）では折畳式携帯電話機を完全に開いた時の状態についてそれぞれ示す。
【符号の説明】
１，２    筐体
３    アンテナ
５    受話器
６    送話器
７    ヒンジ部
８    カム
９    基板
１０    引きバネ
１１    アーム
１２    支点ピン
１３    フック
１４    留め金
１５    押しバネ
１６    ストッパ
３１    アンテナ伸縮部
３２    アンテナケース
３３    アンテナ外管部
【図１】
2004328346.tif 000003
【図２】
2004328346.tif 000004
【図３】
2004328346.tif 000005
【図４】
2004328346.tif 000006
【図５】
2004328346.tif 000007